(57)【要約】【課題】画像信号における彩度の強調に際して、高彩度域での飽和を抑えつつ、低彩度域に十分な強調を行うことが可能となる彩度強調方法、彩度強調装置及び電子カメラ、それらを実現するためのプログラムを提供する。【解決手段】  増幅率演算回路３７１が、画像信号を構成する色差信号Ｕ，Ｖにおける各々の値の絶対値のうちの大きい側の値を変数βとして、その変数βがある値であるときの演算結果が、その変更βが前記ある値よりも小さいときの演算結果よりも小さくなる演算を行い決められた範囲内の増幅率αを取得し、その増幅率αで増幅器３７２，３７３が色差信号Ｕ，Ｖの双方を増幅する。色差信号Ｕ，Ｖの入出力特性が、前記変数βが大きくなるに従いその傾きが徐々に減少する非線形特性となり、高彩度域での飽和を抑えつつ、低彩度域に十分な強調を行うことができる。【選択図】      図３
2005150907.tif 000002
【特許請求の範囲】
【請求項１】
画像信号を構成する２種の色差信号の双方を増幅することにより画像信号に対する彩度強調を行う方法であって、
前記２種の色差信号の値に乗じる増幅率として、２種の色差信号の少なくともいずれか一方の値に基づき決まるとともに、２種の色差信号における各々の値がある値であるときの増幅率が、当該各々の値が前記ある値よりも小さいときの増幅率よりも小さくなるように決められた範囲内の増幅率を取得する第１の工程と、
取得した増幅率で２種の色差信号をそれぞれ増幅する第２の工程と
を含むことを特徴とする彩度強調方法。
【請求項２】
前記第１の工程で取得される増幅率は、２種の色差信号の少なくともいずれか一方の値に基づく値を変数とする所定の演算により求められる値であることを特徴とする請求項１記載の彩度強調方法。
【請求項３】
前記変数は、前記２種の色差信号における各々の値の絶対値のうちの大きい側の値であることを特徴とする請求項２記載の彩度強調方法。
【請求項４】
前記変数は、前記２種の色差信号における各々の値を二乗して加算した値の平方根であることを特徴とする請求項２記載の彩度強調方法。
【請求項５】
前記第１の工程で取得される増幅率は、２種の色差信号における各々の値の変化に応じて徐々に変化することを特徴とする請求項１，２又は３記載の彩度強調方法。
【請求項６】
前記所定の演算は、前記変数をβ、当該変数βが取り得る最大値をβｍａｘ、決められている増幅率の最大値をα１、決められている増幅率の最小値をα２とし、下記の式
α＝［（βｍａｘ−β）×α１＋β×α２］／βｍａｘ
から値αを求めることを特徴とする請求項５記載の彩度強調方法。
【請求項７】
画像信号を構成する２種の色差信号の双方を増幅することにより画像信号に対する彩度強調を行う彩度強調装置であって、
前記２種の色差信号の値に乗じる増幅率として、２種の色差信号の少なくともいずれか一方の値に基づき決まるとともに、２種の色差信号の値がある値であるときの取得値が、当該値が前記ある値よりも小さいときの取得値よりも小さくなる決められた範囲内の増幅率を取得する倍率取得手段と、
この倍率取得手段により取得された増幅率で２種の色差信号をそれぞれ増幅する増幅手段と
を備えたことを特徴とする彩度強調装置。
【請求項８】
画像信号を構成する２種の色差信号の双方を増幅することにより画像信号に対する彩度強調を行う彩度強調装置が有するコンピュータに、
前記２種の色差信号の値に乗じる増幅率として、２種の色差信号の少なくともいずれか一方の値に基づき決まるとともに、２種の色差信号の値がある値であるときの取得値が、当該値が前記ある値よりも小さいときの取得値よりも小さくなる決められた範囲内の増幅率を取得する第１の処理と、
取得した増幅率で２種の色差信号をそれぞれ増幅する第２の処理と
を実行させるためのプログラム。
【請求項９】
撮像素子により撮像した被写体像を画像データに変換し、変換後の画像データを圧縮して記録媒体に記録する電子カメラにおいて、
前記撮像素子の出力信号に基づく画像信号を構成する２種の色差信号の値に乗じる増幅率として、２種の色差信号の少なくともいずれか一方の値に基づき決まるとともに、２種の色差信号の値がある値であるときの取得値が、当該値が前記ある値よりも小さいときの取得値よりも小さくなる決められた範囲内の増幅率を取得する倍率取得手段と、
この倍率取得手段により取得された増幅率で２種の色差信号をそれぞれ増幅する増幅手段と
を備えたことを特徴とする電子カメラ。
【発明の詳細な説明】
【技術分野】
【０００１】
本発明は、例えばデジタルカメラに用いて好適な彩度強調方法、彩度強調装置及び電子カメラ、それらを実現するためのプログラムに関する。
【背景技術】
【０００２】
従来、デジタルカメラにおいては、撮像素子から出力されデジタル変換された画像信号に対して各種の色処理が行われている。色処理として一般的なものはガンマ補正やホワイトバランス調整であり、これらは主に画像全体の色バランス（色相）の調整に関する処理である。また、これとは別に、色バランスを崩すことなく被写体の鮮やかさを強調するための彩度強調が行われている。なお、係る彩度強調は、デジタルカメラ以外にも、例えば記録媒体に記録されている静止画像や動画像、或いは放送信号により伝送された静止画像や動画像を表示する各種の表示装置においても行われる。
【０００３】
また、上記の彩度強調は、輝度信号Ｙと共に画像信号を構成する色差信号、例えばＵ信号、Ｖ信号（本明細書では、色空間をＹＣｂＣｒで表現する場合のＣｂ、Ｃｒ信号と同義とする。）、ＮＴＳＣ方式のカラー映像信号ではＩ信号とＱ信号を所定の増幅率で増幅することにより可能となる。また、下記の特許文献１には、Ｒ、Ｇ、Ｂ信号から取り出した色差信号（Ｒ−Ｙ、Ｇ−Ｙ、Ｂ−Ｙ）を個別の増幅率で増幅する構成において、各々の増幅率を一律とせず、色差信号の値が小さい区画での増幅率を色差信号の値が大きい区画の増幅率よりも小さくすることにより、淡い印象を与える色は強制せずに、鮮やかな印象を与える色のみを強調する方法が記載されている。
【特許文献１】特開２０００−６９４９６号公報（「０１３６」段落、図１、図２参照）
【発明の開示】
【発明が解決しようとする課題】
【０００４】
しかしながら、上記のように色差信号を増幅して彩度強調を行う場合には、色差信号（Ｕ，Ｖ等）の増幅前の値が大きいときには、増幅後の値が調整範囲を超えて飽和しやすく、鮮やかな色が存在する部分の再現性が低下しやすくなる。また、前記飽和を防止するために増幅率を小さくすると、増幅前の値が小さいときには十分な強調が行えず、色みの少ない、くすんだ色調となりやすくなるという問題があった。
【０００５】
本発明は、かかる従来の課題に鑑みてなされたものであり、画像信号に対する彩度強調に際して、高彩度域での飽和を抑えつつ、低彩度域に十分な強調を行うことが可能となる彩度強調方法、彩度強調装置及び電子カメラ、それらを実現するためのプログラムを提供することを目的とする。
【課題を解決するための手段】
【０００６】
前記課題を解決するため請求項１の発明にあっては、画像信号を構成する２種の色差信号の双方を増幅することにより画像信号に対する彩度強調を行う方法であって、前記２種の色差信号の値に乗じる増幅率として、２種の色差信号の少なくともいずれか一方の値に基づき決まるとともに、２種の色差信号における各々の値がある値であるときの増幅率が、当該各々の値が前記ある値よりも小さいときの増幅率よりも小さくなるように決められた範囲内の増幅率を取得する第１の工程と、取得した増幅率で２種の色差信号をそれぞれ増幅する第２の工程とを含む方法とした。
【０００７】
かかる方法によれば、２種の色差信号を、各々の値が小さいときには決められている範囲内の最大値側の増幅率で増幅し、かつ各々の値が大きなときには決められている範囲内の最小値側の増幅率で増幅することができる。したがって、増幅率の最小値を例えば「１」に決めておくことにより、２種の色差信号の値が小さいときには十分な強調を行いながら、２種の色差信号の各々の値が大きなときに増幅後の値が調整範囲を超えて飽和することが抑制できる。
【０００８】
また、請求項２の発明にあっては、前記第１の工程で取得される増幅率は、２種の色差信号の少なくともいずれか一方の値に基づく値を変数とする所定の演算により求められる値である方法とした。
【０００９】
また、請求項３の発明にあっては、前記変数は、前記２種の色差信号における各々の値の絶対値のうちの大きい側の値である方法とした。
【００１０】
かかる方法によれば、強調前の彩度が同一である全ての色に対して均一的な強調度合を確保することができる。
【００１１】
また、請求項４の発明にあっては、前記変数は、前記２種の色差信号における各々の値を二乗して加算した値の平方根である方法とした。
【００１２】
かかる方法においても、強調前の彩度が同一である全ての色に対して均一的な強調度合を確保することができる。
【００１３】
また、請求項５の発明にあっては、前記第１の工程で取得される増幅率は、２種の色差信号における各々の値の変化に応じて徐々に変化する方法とした。
【００１４】
かかる方法によれば、増幅前の２種の色差信号における各々の値の変化を、増幅後の２種の色差信号の値の変化に忠実に反映させることができる。
【００１５】
また、請求項６の発明にあっては、前記所定の演算は、前記変数をβ、当該変数βが取り得る最大値をβｍａｘ、決められている増幅率の最大値をα１、決められている増幅率の最小値をα２とし、下記の式
【００１６】
α＝［（βｍａｘ−β）×α１＋β×α２］／βｍａｘ
から値αを求める方法とした。
【００１７】
また、請求項７の発明にあっては、画像信号を構成する２種の色差信号の双方を増幅することにより画像信号に対する彩度強調を行う彩度強調装置であって、前記２種の色差信号の値に乗じる増幅率として、２種の色差信号の少なくともいずれか一方の値に基づき決まるとともに、２種の色差信号の値がある値であるときの取得値が、当該値が前記ある値よりも小さいときの取得値よりも小さくなる決められた範囲内の増幅率を取得する倍率取得手段と、この倍率取得手段により取得された増幅率で２種の色差信号をそれぞれ増幅する増幅手段とを備えたものとした。
【００１８】
かかる構成においては、増幅手段によって、２種の色差信号を、その値が小さいときには決められている範囲内の最大値側の増幅率で増幅し、かつその値が大きなときには決められている範囲内の最小値側の増幅率で増幅することができる。したがって、増幅率の最小値を例えば「１」に決めておくことにより、２種の色差信号の値が小さいときには十分な強調を行いながら、２種の色差信号の値が大きなときに増幅後の値が調整範囲を超えて飽和することが抑制できる。
【００１９】
また、請求項８の発明にあっては、画像信号を構成する２種の色差信号の双方を増幅することにより画像信号に対する彩度強調を行う彩度強調装置が有するコンピュータに、
【００２０】
前記２種の色差信号の値に乗じる増幅率として、２種の色差信号の少なくともいずれか一方の値に基づき決まるとともに、２種の色差信号の値がある値であるときの取得値が、当該値が前記ある値よりも小さいときの取得値よりも小さくなる決められた範囲内の増幅率を取得する第１の処理と、取得した増幅率で２種の色差信号をそれぞれ増幅する第２の処理とを実行させるためのプログラムとした。
【００２１】
係るプログラムを用いることにより、コンピュータを備えた所定の彩度強調装置において本発明の上記方法が実施可能となる。
【００２２】
また、請求項９の発明にあっては、撮像素子により撮像した被写体像を画像データに変換し、変換後の画像データを圧縮して記録媒体に記録する電子カメラにおいて、前記撮像素子の出力信号に基づく画像信号を構成する２種の色差信号の値に乗じる増幅率として、２種の色差信号の少なくともいずれか一方の値に基づき決まるとともに、２種の色差信号の値がある値であるときの取得値が、当該値が前記ある値よりも小さいときの取得値よりも小さくなる決められた範囲内の増幅率を取得する倍率取得手段と、この倍率取得手段により取得された増幅率で２種の色差信号をそれぞれ増幅する増幅手段とを備えたものとした。
【００２３】
かかる構成においては、増幅手段によって、２種の色差信号を、その値が小さいときには決められている範囲内の最大値側の増幅率で増幅し、かつその値が大きなときには決められている範囲内の最小値側の増幅率で増幅することができる。したがって、増幅率の最小値を例えば「１」に決めておくことにより、２種の色差信号の値が小さいときには十分な強調を行いながら、２種の色差信号の値が大きなときに増幅後の値が調整範囲を超えて飽和することが抑制できる。
【発明の効果】
【００２４】
本発明においては、２種の色差信号の各々の値が小さいときには十分な強調を行いながら、２種の色差信号の各々の値が大きなとき、増幅後の値が調整範囲を超えて飽和することが抑制できるようにした。よって、画像等において鮮やかな色が存在する部分の再現性を維持したままで、色みの少ない部分に十分な色を乗せることが可能となる。
【００２５】
また、請求項３，４，５，６の方法においては、強調前の彩度が同一である全ての色に対して均一的な強調度合を確保することができるため、各色間における彩度の強弱バランスを維持したままでの彩度強調が可能となる。
【００２６】
また、請求項５の方法においては、増幅前の２種の色差信号の各々の値の変化を、増幅後の２種の色差信号の各々の値の変化に忠実に反映させることができるため、画像等の彩度の強弱バランスを維持したままでの彩度強調が可能となる。
【発明を実施するための最良の形態】
【００２７】
以下、本発明の一実施の形態を図にしたがって説明する。図１は、本発明に係る電子カメラ１の概略構成を示すブロック図である。
【００２８】
この電子カメラ１は、撮像素子であるＣＣＤ２により被写体を撮像し、撮像した被写体画像をＬＣＤ（液晶表示装置）４に表示させるとともに、撮影操作に応じて、撮像した被写体画像のデータを圧縮して画像メモリ５に記録する構成である。なお、画像メモリ５は、カメラ本体に内蔵又は着脱自在なフラッシュメモリ等の不揮発性メモリ（記録媒体）である。
【００２９】
ＣＣＤ２は、感光部にベイヤー配列の色フィルタアレイが設けられたものであり、ＣＣＤ２から出力されたアナログの撮像信号は信号処理部３において各種の信号処理を施され、最終的には輝度信号（Ｙ信号）と色差信号（Ｕ信号、Ｖ信号）からなるＹＵＶデータすなわちデジタルの画像信号として出力される。なお、信号処理部３の詳細については後述する。信号処理部３から出力された画像信号は、ＣＰＵ６の作業用メモリ、及び画像データの一時保存用のメモリとして用いられるＲＡＭ（例えばＤＲＡＭ）７に順次記憶されるとともに、撮影待機状態にあるときにはＬＣＤ４に送られスルー画像として表示される。
【００３０】
また、撮影操作時には、ＲＡＭ７に記憶された１フレーム分の輝度（Ｙ）及び色差信号（Ｕ，Ｖ）が各コンポーネント毎に縦８画素×横８画索の基本ブロックと呼称される単位で読出されるとともにＪＰＥＧ変換部８へ送られ、そこでＤＣＴ変換及びハフマン符号化等の処理によりデータ圧縮が行われ、ＪＰＥＧに準拠するフォーマットの画像ファイルとして画像メモリ５に記録される。画像メモリ５に記録された圧縮後の画像データ（画像ファイル）は、必要に応じＣＰＵ６により読み出され、ＪＰＥＧ変換部８によりいったん伸張された後、ＬＣＤ４において静止画像、或いは動画像として再生表示される。
【００３１】
また、電子カメラ１は、ＣＰＵ６が上記各部の制御に必要とする制御プログラムが記録されたＲＯＭ９と、キー入力部１０、レンズ駆動部１１を有している。キー入力部１０は、シャッターキーや、動作モードの切り替えに使用されるモード切替キー等からなり、キー操作に応じた操作信号をＣＰＵ６へ出力する。レンズ駆動部１１は、ＣＣＤ２の前面に配置されたフォーカスレンズを含むレンズ群を光軸方向に駆動するモーターや、それを制御するためのドライバー等から構成されており、例えばＡＦ制御時にはＣＰＵ６からの指令に基づきレンズ位置を変化させる。
【００３２】
図２は、前述した信号処理部３の詳細を示すブロック図である。信号処理部３は、ＣＣＤ２から入力したアナログの撮像信号が入力するアナログ処理部３１と、黒レベル調整部３２、白バランス調整部３３、ガンマ補正部３４、画素補間処理部３５、ＹＵＶ変換処理部３６、彩度強調処理部３７の各部から構成されている。
【００３３】
アナログ処理部３１は、ＣＣＤ２から出力された撮像信号に含まれるＣＣＤ２の駆動ノイズを減少させる相関二重サンプリング回路（ＣＤＳ回路）と、ノイズ低減後における信号のゲインを調整する自動利得制御回路（ＡＧＣ回路）、ゲイン調整後の信号をサンプリングして所定ビット数のデジタル信号に変換するＡ／Ｄ変換器を含み、ＣＣＤ２から入力したアナログの撮像信号をデジタルの画像信号、すなわち色フィルタアレイに応じた配列のＲ，Ｇ，Ｂの画素データ（ベイヤーデータ）に変換する。
【００３４】
黒レベル調整部３２は、デジタル化された画像信号を所定の黒レベルにクランプし、白バランス調整部３３は、クランプ後の画像信号に対するＲ，Ｇ，Ｂ毎のゲイン調整を行い白バランスを調整する。ガンマ補正部３４は、白バランス調整後に画像信号に対するガンマ特性（階調特性）の補正を行い、画素補間処理部３５は、ガンマ補正後の画像信号（ベイヤーデータ）に基づき画素毎のＲＧＢデータを生成する画素補間を行う。ＹＵＶ変換処理部３６は、Ｒ，Ｇ，Ｂの色成分データから輝度信号（Ｙ）と色差信号（Ｕ、Ｖ）からなるＹＵＶデータを画素毎に生成する。
【００３５】
彩度強調処理部３７は、ＹＵＶ変換処理部３６で生成されたＹＵＶデータに対して、その色差信号（Ｕ，Ｖ）を画素単位で増幅する彩度強調を行う。そして、調整後のＹＵＶデータは前述したようにＲＡＭ７に一時記憶されるとともに、記憶された１フレーム分のＹＵＶデータに基づく画像がＬＣＤ４によって表示され、あるいはＪＰＥＧ変換部８へ送られ圧縮される。
【００３６】
図３は、前記彩度強調処理部３７の回路構成を示す図であって、彩度強調処理部３７は、入力したＹＵＶ信号の色差信号Ｕ，Ｖの値に応じた増幅率（乗算係数）αを演算し出力する本発明の倍率取得手段である増幅率演算回路３７１と、その増幅率αによって色差信号Ｕin，Ｖinをそれぞれ増幅し、増幅後の色差信号Ｕout，Ｖoutを出力する、本発明の増幅手段である増幅器３７２，３７３とから構成されている。また、増幅率演算回路３７１には、上記演算に使用される増幅率の最大値と最小値を示す演算係数α１，α２が設定されたレジスタが含まれている（図示せず）。
【００３７】
そして、本実施の形態においては、増幅率演算回路３７１が以下の式に基づき増幅率αを演算するよう構成されている。なお、以下の式は、各画素の量子化ビット数が２４ビットであって、色差信号Ｕin，Ｖinの値が符号付８ｂｉｔ、すなわち−１２８〜１２７に変化するものであり、任意の色の彩度を１２８段階で表現可能であることを前提としている。
［式］
β ＝ ｍａｘ（ａｂｓ（Ｕin），ａｂｓ（Ｖin））
（ｍａｘ：大きい方の値を得る関数、ａｂｓ：絶対値を得る関数）
α ＝ ［（１２８−β）×α１＋β×α２］／１２８
ただし、α１＞α２、「１２８」はβが取りうる最大値（βｍａｘ）である。
【００３８】
かかる構成においては、前記増幅率演算回路３７１から前記増幅器３７２，３７３に出力される増幅率αは、Ｕ，Ｖ信号に基づく変数β（Ｕの絶対値、又はＶの絶対値）が０〜１２８まで変化する間に、α１からα２に徐々に増大するよう変化する。そのため、彩度強調処理部３７における色差信号Ｕ，Ｖの入出力特性は、図４に実線で示したように、入力値Ｕin，Ｖinが大きくなるに従いその傾きが徐々に減少する非線形特性となる。
【００３９】
また、同図は、Ｕ＝Ｖと仮定し、α１を１．５、α２を１．０とした場合の例であり、このようにα２つまり増幅率の最小値を１．０に設定すれば、入力値Ｕin，Ｖinが最大値のときの出力値Ｕout，Ｖoutを入力値Ｕin，Ｖinのままとすることができる。すなわち、同図に破線で示したように増幅率を１．５に固定した場合には、高彩度域（入力値Ｕin，Ｖinが８５以上）で飽和してしまいクリッピングが発生してしまうが、それをなくすことができる。
【００４０】
したがって、本実施の形態においては、ＣＣＤ２により撮像された被写体画像に対して、鮮やかな色が存在する部分の再現性を維持したままで、色みの少ない部分に十分な色を乗せることができる。その結果、撮影待機状態でＬＣＤに表示するスルー画像や、画像メモリ５に記録する画像の質を向上させることができる。
【００４１】
なお、ここでは、α１を１．５、α２を１．０とした場合を例に説明したが、α１，α２の値は必要に応じて適宜変更可能である。また、増幅率の最小値を示す演算係数α２は１．０以上としても構わないが、その場合には１．０により近い値を設定する方が、鮮やかな色が存在する部分の再現性をより確実に維持することができる。
【００４２】
また、本実施の形態においては、色差信号Ｕ，Ｖの増幅率αの算出に使用する上記変数βを、色差信号Ｕ，Ｖにおける各々の値の絶対値のうちの大きい側の値としたことから、色差信号Ｕ，Ｖの双方の値を増幅率に反映させることにより、強調前の彩度が同一である全ての色に対して均一的な強調度合を確保することができる。よって、各色間における彩度の強弱バランスを維持したままでの彩度強調が可能となる。
【００４３】
なお、係る効果は、上記変数βを、例えば色差信号Ｕ，Ｖにおける各々の値を二乗して加算した値の平方根（β＝√（Ｕ２＋Ｖ２））とした場合においても得ることができる。
【００４４】
また、本実施の形態においては、彩度強調処理部３７により求められる増幅率αが、色差信号Ｕ，Ｖの入出力特性が、入力値Ｕin，Ｖinが大きくなるに従いその傾きが徐々に減少する非線形特性となるものであることから、その入力値Ｕin，Ｖinの変化を出力値Ｕout，Ｖoutに忠実に反映させることができる。よって、彩度を強調する前の被写体画像における彩度の強弱バランスを維持したままでの彩度強調を行うことができる。
【００４５】
なお、これに限らず、前記増幅率演算回路３７１には、色差信号Ｕ，Ｖの入出力特性が、例えば図５（ａ）、同図（ｂ）に示したように、入力値Ｕin，Ｖinが大きくなるに従いその傾きが段階的に減少する非線形特性となる増幅率αを求めさせるようにしてもよい。その場合であっても、ＣＣＤ２により撮像された被写体画像に対して、鮮やかな色が存在する部分の再現性を維持したままで、色みの少ない部分に十分な色を乗せることができる。要は、上記変数βがある値であるときの増幅率αが、上記変数βが前記ある値よりも小さいときの増幅率αよりも小さくなる演算を行わせればよい。また、彩度強調処理部３７に前述した演算とは異なる演算によって、図４に示した非線形特性が得られる増幅率αを求めさせてもよい。
【００４６】
また、本実施の形態では、信号処理部３に専用の彩度強調処理部３７を設けて、色差信号Ｕ，Ｖを増幅するようにしたが、彩度強調処理用の所定のプログラムをＲＯＭ９に格納しておき、彩度強調処理部３７による前述した信号処理の一部または全部をＣＰＵ６に行わせるようにすることも可能である。ただし、その場合にはＣＰＵ６にデータ処理能力の高いものを使用する必要がある。また、その場合を含めて、前述した色差信号Ｕ，Ｖの増幅率αは、必ずしも前述したような演算によって求めなくともよく、例えば色差信号Ｕ，Ｖの値に対応する増幅率αを示す所定のルックアブテーブルを用いて直接的に取得するようにしても構わない。
【００４７】
また、ここでは、電子カメラ１における彩度強調処理について説明したが、本発明は、電子カメラ以外にも、画像の彩度強調を行う構成を備えたものであれば、例えば記録媒体に記録されている静止画像や動画像、或いは放送信号により伝送された静止画像や動画像を表示する各種の表示装置や、他の映像機器、画像処理装置にも適用することができる。その場合においても前述した効果を得ることができる。また、その場合、彩度強調のために増幅する色差信号はＵ，Ｖ信号に限らず、Ｉ信号、Ｑ信号等の他の色差信号であっても構わない。
【図面の簡単な説明】
【００４８】
【図１】本発明に係る電子カメラのブロック図である。
【図２】信号処理部の詳細を示すブロック図である。
【図３】彩度強調処理部の回路構成図である。
【図４】彩度強調処理部における色差信号Ｕ，Ｖの入出力特性を示す図である。
【図５】他の実施の形態における色差信号Ｕ，Ｖの入出力特性を示す図である。
【符号の説明】
【００４９】
１    電子カメラ
２    ＣＣＤ
３    信号処理部
５    画像メモリ
６    ＣＰＵ
８    ＪＰＥＧ変換部
３５    画素補間処理部
３６    ＹＵＶ変換処理部
３７    彩度強調処理部
３７１    増幅率演算回路
３７２    増幅器
３７３    増幅器
【図１】
2005150907.tif 000003
【図２】
2005150907.tif 000004
【図３】
2005150907.tif 000005
【図４】
2005150907.tif 000006
【図５】
2005150907.tif 000007